(57)【要約】【課題】  プロジェクションナットの溶着用突起の形成状態を利用して、異常ナットの送出を規制することのできるプロジェクションナットの選別装置を提供する。【解決手段】  ナット１が滑動する通路面１３に、間隔が広く設定されているとともに平行に配置された溶着用突起用のガイド面１８と、間隔が狭く設定されているとともに平行に配置された溶着用突起用のガイド溝１９が設けられ、ガイド溝１９はガイド面１８の内側に配置され、通路面１３の上側に所定の規制高さに設定された規制部材１６が設けてある。ガイド溝１９を溶着用突起４が移動するナットの高さが低くなり、規制部材１６を通過し、ガイド面１８を滑動するナットは規制部材１６で規制される。【選択図】図２
2010105814.tif 000002
【特許請求の範囲】
【請求項１】
四角い本体部の中央にねじ孔が形成され、前記本体部の片側の四隅に溶着用突起が形成されたプロジェクションナットを選別の対象とするものであって、プロジェクションナットが滑動する通路面に、間隔が広く設定されているとともに平行に配置された溶着用突起用のガイド面と、間隔が狭く設定されているとともに平行に配置された溶着用突起用のガイド溝が設けられ、前記ガイド溝はガイド面の内側に配置され、前記通路面の上側に所定の規制高さに設定された規制部材が設けてあることを特徴とするプロジェクションナットの選別装置。
【請求項２】
前記本体部の高さが同じ寸法とされた少なくとも２種類のうち、一方のプロジェクションナットに前記ガイド面上を滑動する広間隔の溶着用突起が設けられ、他方の前記プロジェクションナットに前記ガイド溝にはまり込んだ状態で移動する狭間隔の溶着用突起が設けられ、ガイド溝を移動するプロジェクションナットが前記規制部材を通過する正常部品とされ、ガイド面上を滑動するプロジェクションナットが規制部材に制止される異常部品とされている請求項１記載のプロジェクションナットの選別装置。
【請求項３】
四角い本体部の中央にねじ孔が形成され、前記本体部の片側の四隅に溶着用突起が形成されたプロジェクションナットを選別の対象とするものであって、プロジェクションナットが滑動する通路面に、間隔が広く設定されているとともに平行に配置された溶着用突起用のガイド溝と、間隔が狭く設定されているとともに平行に配置された溶着用突起用のガイド面が設けられ、前記ガイド面はガイド溝の内側に配置され、前記通路面の上側に所定の規制高さに設定された規制部材が設けてあることを特徴とするプロジェクションナットの選別装置。
【請求項４】
前記本体部の高さが同じ寸法とされた少なくとも２種類のうち、一方のプロジェクションナットに前記ガイド面上を滑動する狭間隔の溶着用突起が設けられ、他方の前記プロジェクションナットに前記ガイド溝にはまり込んだ状態で移動する広間隔の溶着用突起が設けられ、ガイド溝を移動するプロジェクションナットが前記規制部材を通過する正常部品とされ、ガイド面上を滑動するプロジェクションナットが規制部材に制止される異常部品とされている請求項３記載のプロジェクションナットの選別装置。
【発明の詳細な説明】
【技術分野】
【０００１】  この発明は、ゲート部において異常プロジェクションナットの通過を禁止するとともに、正常プロジェクションナットの通過を許容するプロジェクションナットの選別装置に関している。以下の説明において、プロジェクションナットを単にナットと表現する場合もある。
【背景技術】
【０００２】  プロジェクションナットの溶着用突起が下向きになった表向きナットは規制部材を通過し、溶着用突起が上向きになった裏向きナットは規制部材に制止される構造が、特開２００６−２４０７９１号公報に記載されている。ここに記載されている技術は、表向きナットは溶着用突起がガイド溝の中を滑動してナット全高が低くなるので、規制部材の下側を通過し、裏向きナットはナット本体部が通路面を滑動してナット全高が高くなるので、規制部材にひっかかって制止されるものである。
【特許文献１】特開２００６−２４０７９１号公報
【発明の開示】
【発明が解決しようとする課題】
【０００３】  上述の構造は、プロジェクションナットの表裏選別に対して機能するものであって、溶着用突起の形成状態に対して選別機能は果たしていない。とくに、四角い本体部の中央にねじ孔が形成され、前記本体部の片側の四隅に溶着用突起が形成されたナットにおいては、例えば、２つのナットが本体部の縦、横、高さおよび溶着用突起の突出寸法等が同じで、ねじ孔の内径だけが異なっている場合がある。このようにねじ孔だけが異なった複数のナットが、１つの搬送通路を通過する場合には、溶着用突起の形成状態を利用して、異常なねじ孔径を有するナットの送出を規制する必要がある。【０００４】  本発明は、上記の問題点を解決するために提供されたもので、プロジェクションナットの溶着用突起の形成状態を利用して、異常ナットの送出を規制することのできるプロジェクションナットの選別装置の提供を目的とする。
【問題を解決するための手段】
【０００５】  請求項１記載の発明は、四角い本体部の中央にねじ孔が形成され、前記本体部の片側の四隅に溶着用突起が形成されたプロジェクションナットを選別の対象とするものであって、プロジェクションナットが滑動する通路面に、間隔が広く設定されているとともに平行に配置された溶着用突起用のガイド面と、間隔が狭く設定されているとともに平行に配置された溶着用突起用のガイド溝が設けられ、前記ガイド溝はガイド面の内側に配置され、前記通路面の上側に所定の規制高さに設定された規制部材が設けてあることを特徴とするプロジェクションナットの選別装置である。
【発明の効果】
【０００６】  例えば、２つのナットの本体部が、縦、横、高さが同じで、さらに溶着用突起が本体部下面から突出している突出長さも同じである場合、両ナットの溶着用突起の間隔に広狭差を付与することによって、広間隔の溶着用突起とされたナットは、その溶着用突起が前記ガイド面を滑動するので、ナット全高が高くなって規制部材に規制されて通過が阻止される。一方、狭間隔の溶着用突起とされたナットは、その溶着用突起が前記ガイド溝内を移動するので、ナット全高が低くなって規制部材に規制されることなく、通過が許容される。このように、ガイド面を滑動するナットと、ガイド溝内を移動するナットに高さの差が生じるので、これを利用して規制部材が機能するのであり、溶着用突起の形成状態を利用して適正ナットだけが確実に送出される。
【０００７】  換言すると、プロジェクションナットが滑動する通路面に、間隔が広く設定されているとともに平行に配置された溶着用突起用のガイド面と、間隔が狭く設定されているとともに平行に配置された溶着用突起用のガイド溝が設けられ、前記ガイド溝はガイド面の内側に配置され、前記通路面の上側に所定の規制高さに設定された規制部材が設けてあることにより、ナットの溶着用突起の間隔に広狭差を付与して、ナット選別機能が果たされるのである。
【０００８】  請求項２記載の発明は、前記本体部の高さが同じ寸法とされた少なくとも２種類のうち、一方のプロジェクションナットに前記ガイド面上を滑動する広間隔の溶着用突起が設けられ、他方の前記プロジェクションナットに前記ガイド溝にはまり込んだ状態で移動する狭間隔の溶着用突起が設けられ、ガイド溝を移動するプロジェクションナットが前記規制部材を通過する正常部品とされ、ガイド面上を滑動するプロジェクションナットが規制部材に制止される異常部品とされている請求項１記載のプロジェクションナットの選別装置である。
【０００９】  広間隔の溶着用突起とされたナットは、その溶着用突起が前記ガイド面を滑動するので、ナット全高が高くなって規制部材に規制されて通過が阻止される。一方、狭間隔の溶着用突起とされたナットは、その溶着用突起が前記ガイド溝内を移動するので、ナット全高が低くなって規制部材に規制されることなく、通過が許容される。したがって、ガイド溝を移動するナットが前記規制部材を通過する正常部品とされ、ガイド面上を滑動するナットが規制部材に制止される異常部品とされて、確実な異常部品の送出規制がなされ、信頼性の高い選別装置がえられる。
【００１０】  請求項３記載の発明は、四角い本体部の中央にねじ孔が形成され、前記本体部の片側の四隅に溶着用突起が形成されたプロジェクションナットを選別の対象とするものであって、プロジェクションナットが滑動する通路面に、間隔が広く設定されているとともに平行に配置された溶着用突起用のガイド溝と、間隔が狭く設定されているとともに平行に配置された溶着用突起用のガイド面が設けられ、前記ガイド面はガイド溝の内側に配置され、前記通路面の上側に所定の規制高さに設定された規制部材が設けてあることを特徴とするプロジェクションナットの選別装置である。
【００１１】  請求項３記載の発明は、ガイド溝とガイド面との内外関係が請求項１記載の発明とは逆になったものであり、これに伴って溶着用突起の広狭関係が設定される。このように構成面で相違しているが、作用効果は請求項１のものと同じである。
【００１２】  請求項４記載の発明は、前記本体部の高さが同じ寸法とされた少なくとも２種類のうち、一方のプロジェクションナットに前記ガイド面上を滑動する狭間隔の溶着用突起が設けられ、他方の前記プロジェクションナットに前記ガイド溝にはまり込んだ状態で移動する広間隔の溶着用突起が設けられ、ガイド溝を移動するプロジェクションナットが前記規制部材を通過する正常部品とされ、ガイド面上を滑動するプロジェクションナットが規制部材に制止される異常部品とされている請求項３記載のプロジェクションナットの選別装置である。
【００１３】  請求項４記載の発明は、ガイド溝とガイド面との内外関係が請求項２記載の発明とは逆になったものであり、これに伴って溶着用突起の広狭関係が設定される。このように構成面で相違しているが、作用効果は請求項２のものと同じである。
【発明を実施するための最良の形態】
【００１４】  つぎに、本発明のプロジェクションナットの選別装置を実施するための最良の形態を説明する。
【実施例１】
【００１５】  図１および図２は実施例１を示す。【００１６】  まず、本実施例１におけるプロジェクションナットについて説明する。【００１７】  図４は、ナット１の斜視図である。ナット１は、平面的に見ると正方形とされた四角い本体部２と、その中央部にあけられたねじ孔３と、本体部２の片側の四隅に成型された溶着用突起４によって構成されている。図２（Ａ）および（Ｂ）に示すように、ナット１ａと１ｂにおける縦、横、高さ（ねじ孔の軸方向の高さ）および本体部２の下面から突き出ている溶着用突起４の突出長さは、それぞれ同じ寸法である。なお、ナット１ａおよび１ｂにおける本体部２の各部寸法は、縦１２ｍｍ、横１２ｍｍ、高さ７ｍｍ、前記突出長さ１．２ｍｍである。そして、ナット１は鉄製である。【００１８】  両ナット１ａと１ｂの異なっている箇所は、ねじ孔３の内径と後述の溶着用突起４の成型間隔である。ナット１ａのねじ孔３ａは大径孔とされ、その内径は８ｍｍである。また、ナット１ｂのねじ孔３ｂは小径孔とされ、その内径は６ｍｍである。【００１９】  溶着用突起４は金型を用いた塑性加工によって成形されるもので、本体部２の四つの角部をねじ孔３の軸線方向にそぎ落とすようにして変形させ、それによって移動した金属素材が金型凹部内に流動して、溶着用突起４の形状が成型される。溶着用突起４の間隔は、図４に示すように、符号Ｗで示されている。【００２０】  図２に示すように、ナット１ａの溶着用突起４の間隔が広間隔Ｗ１とされ、ナット１ｂの溶着用突起４の間隔が狭間隔Ｗ２とされている。本実施例１では、大径孔３ａがあけられたナット１ａが異常ナットであり、このナット１ａの溶着用突起４が広間隔Ｗ１とされている。一方、小径孔３ｂがあけられたナット１ｂが正常ナットであり、このナット１ｂの溶着用突起４が狭間隔Ｗ２とされている。【００２１】  本発明におけるナットの搬送通路としては、傾斜した移送通路、移送力が振動で付与される直進フィーダの移送通路、パーツフィーダの送出通路等、種々なものがある。ここでは、図５に示すように、振動式パーツフィーダ９である。ナット１を貯留しているボウル１０の内側に螺旋状の搬送通路１２が形成され、この搬送通路１２に連続した状態で送出通路１３が設けてある。起振部１１からの振動によってナット１が搬送通路１２から送出通路１３を経て目的箇所へ移送される。なお、送出通路１３に供給ホース１４が接続してある。【００２２】  前記異常ナット１ａの送出を阻止するために、ゲート部１５が送出通路１３に設けてある。このゲート部１５は、送出通路１３と規制部材１６によって構成されている。この送出通路１３は、図１に示すように、細長い板状の通路部材１７によって構成され、その両側に突条８が設けてある。この送出通路１３の通路面に、間隔が広く設定されているとともに平行に配置されたガイド面１８と、間隔が狭く設定されているとともに平行に配置されたガイド溝１９が設けられ、前記ガイド溝１９はガイド面１８の内側に配置されている。【００２３】  そして、ガイド面１８の間隔は、前記広間隔Ｗ１に適応する間隔とされ、ガイド溝１９の間隔は、前記狭間隔Ｗ２に適応する間隔とされている。したがって、ナット１ａの溶着用突起４はガイド面１８上を活動し、ナット１ｂの溶着用突起４はガイド溝１９内を移動する。【００２４】  前記規制部材１６は、下向きに開放しているコ字型の部材であり、通路部材１７に溶接等で固定された状態で、送出通路１３すなわち通路面の上側に配置してある。規制部材１６の横部材２０が、規制機能を果たす。送出通路１３からの横部材２０の高さは、所定の規制高さに設定してあり、溶着用突起４がガイド面１８上を滑動するナット１ａは通過が阻止されるが、溶着用突起４がガイド溝１９内を移動するナット１ｂは通過が許容されるように、高さ設定がなされている。【００２５】  ナット１ａはその溶着用突起４がガイド面１８上を滑動するので、本体部２の頂面は横部材２０の下面よりも高くなり、この高くなった部分が図２（Ａ）に示すように、横部材２０にひっかかり通過が阻止される。一方、ナット１ｂはその溶着用突起４がガイド溝１９内を移動するので、本体部２の頂面は横部材２０の下面よりも低くなり、この低くなったことにより図２（Ｂ）に示すように、横部材２０にひっかかることなく通過が許容される。【００２６】  このようにナット１ａ、１ｂに対する通過制御がなされるので、小径孔３ｂを有するナット１ｂだけを正常ナットとして送出することができ、異常な大径孔３ａを有するナット１ａの送出を禁止することができて、後工程におけるトラブルを未然に回避することができる。例えば、ナット１ｂが正常な部品として貯留されているパーツフィーダ９のボウル１０に、床に落ちているナット１ａを作業者が誤って投入したりした場合に、トラブル回避がなされるのである。【００２７】  長孔と固定ボルトを組み合わせた調整機構によって、規制部材１６と送出通路１３の通路面の間隔を調整可能にしてもよい。すなわち、横部材２０の高さが調整式で求められる。【００２８】  上述のパーツフィーダ９は、ボウル１０を振動させる形式であるが、これに換えて、起立した回転式円板に磁石を組み付け、この円板の回転によって吸着されたナットを送出通路１３に導く形式のものとすることができる。【００２９】  以上に説明した実施例１の作用効果は、つぎのとおりである。【００３０】  例えば、２つのナットの本体部２が、縦、横、高さが同じで、さらに溶着用突起４が本体部下面から突出している突出長さも同じである場合、両ナットの溶着用突起の間隔に広狭差を付与することによって、広間隔Ｗ１の溶着用突起４とされたナット１ａは、その溶着用突起４が前記ガイド面１８を滑動するので、ナット全高が高くなって規制部材１６に規制されて通過が阻止される。一方、狭間隔Ｗ２の溶着用突起４とされたナット１ｂは、その溶着用突起４が前記ガイド溝１９内を移動するので、ナット全高が低くなって規制部材１６に規制されることなく、通過が許容される。このように、ガイド面１８を滑動するナット１ａと、ガイド溝１９内を移動するナット１ｂに高さの差が生じるので、これを利用して規制部材１６が機能するのであり、溶着用突起４の形成状態を利用して適正ナットだけが確実に送出される。【００３１】  換言すると、プロジェクションナット１が滑動する通路面（送出通路１３）に、間隔が広く設定されているとともに平行に配置された溶着用突起用の��イド面１８と、間隔が狭く設定されているとともに平行に配置された溶着用突起用のガイド溝１９が設けられ、前記ガイド溝１９はガイド面１８の内側に配置され、前記通路面の上側に所定の規制高さに設定された規制部材１６が設けてあることにより、ナット１の溶着用突起４の間隔に広狭差を付与して、選別機能が果たされるのである。【００３２】  前記本体部２の高さが同じ寸法とされた少なくとも２種類のうち、一方のナット１ａに前記ガイド面１８上を滑動する広間隔Ｗ１の溶着用突起４が設けられ、他方の前記ナット１ｂに前記ガイド溝１９にはまり込んだ状態で移動する狭間隔Ｗ２の溶着用突起４が設けられ、ガイド溝１９を移動するナット１ｂが前記規制部材１６を通過する正常部品とされ、ガイド面１８上を滑動するナット１ａが規制部材１６に制止される異常部品とされている。【００３３】  広間隔Ｗ１の溶着用突起４とされたナット１ａは、その溶着用突起４が前記ガイド面１８を滑動するので、ナット全高が高くなって規制部材１６に規制されて通過が阻止される。一方、狭間隔Ｗ２の溶着用突起４とされたナット１ｂは、その溶着用突起４が前記ガイド溝１９内を移動するので、ナット全高が低くなって規制部材１６に規制されることなく、通過が許容される。したがって、ガイド溝１９を移動するナット１ｂが前記規制部材１６を通過する正常部品とされ、ガイド面１８上を滑動するナット１ａが規制部材１６に制止される異常部品とされて、確実な異常部品の送出規制がなされ、信頼性の高い選別装置がえられる。
【実施例２】
【００３４】  図３は、実施例２を示す。【００３５】  この実施例２は、ガイド溝１９とガイド面１８との内外関係が実施例１とは逆になったものであり、これに伴って溶着用突起４の広狭関係が設定される。プロジェクションナットが滑動する送出通路１３に、間隔が広く設定されているとともに平行に配置された溶着用突起用のガイド溝１９と、間隔が狭く設定されているとともに平行に配置された溶着用突起用のガイド面１８が設けられ、前記ガイド面１８はガイド溝１９の内側に配置され、前記送出通路１３の上側に所定の規制高さに設定された規制部材１６が設けてある。ここでのガイド面１８は、図３（Ｂ）に示すように、符号２１で示した箇所に配置してある。【００３６】  大径孔３ａがあけられたナット１ａの溶着用突起４は、その間隔が狭間隔Ｗ２とされ、小径孔３ｂがあけられたナット１ｂの溶着用突起４は、その間隔が広間隔Ｗ１とされている。それ以外の構成は、図示されていない部分も含めて先の実施例１と同じであり、同様な機能の部材には同一の符号が記載してある。【００３７】  ナット１ａが規制部材１６で規制される状態や、ナット１ｂが規制部材１６を通過する状態は、実施例１のものと同じである。それ以外の作用効果は、先の実施例１と同じである。
【産業上の利用可能性】
【００３８】  上述のように、本発明によれば、プロジェクションナットの溶着用突起の形成状態を利用して、異常ナットの送出を規制することのできるプロジェクションナットの選別装置であるから、自動車の車体溶接工程や、家庭電化製品の板金溶接工程などの広い産業分野で利用できる。
【図面の簡単な説明】
【００３９】
【図１】ゲート部の平面図と断面図である。
【図２】規制部材とナットの位置関係を示す側面図である。
【図３】規制部材とナットの位置関係を示す側面図である。
【図４】ナットの形状を示す斜視図である。
【図５】パーツフィーダの側面図と平面図である。
【符号の説明】
【００４０】  １    プロジェクションナット
１ａ  プロジェクションナット
１ｂ  プロジェクションナット
２    本体部
３    ねじ孔
３ａ  大径孔
３ｂ  小径孔
４    溶着用突起
Ｗ    溶着用突起の間隔
Ｗ１  広間隔
Ｗ２  狭間隔
１３    送出通路
１５    ゲート部
１６    規制部材
１７    通路部材
１８    ガイド面
１９    ガイド溝
２０    横部材
【図１】
2010105814.tif 000003
【図２】
2010105814.tif 000004
【図３】
2010105814.tif 000005
【図４】
2010105814.tif 000006
【図５】
2010105814.tif 000007